(57)【特許請求の範囲】
【請求項１】
互いに逆方向に信号を伝送する第１及び第２のリング伝送路（１０，１２）と、当該第１及び第２のリング伝送路（１０，１２）上に配置される複数の通信端末装置（１４，１６−１〜１６−６）とを具備するデータ伝送システムであって、
各通信端末装置が、
無データ期間にアイドルパターンをそれぞれ第１及び第２のリング伝送路に出力するアイドルパターン出力装置（４２ａ，４２ｂ，４４ａ，４４ｂ，４８）と、
第１及び第２のリング伝送路からの無データ期間のアイドルパターンの有無を判別し、当該アイドルパターンの未検出の場合にアイドルパターン未検出信号を出力するアイドルパターン判別装置（５０）と、
当該アイドルパターン判別装置（５０）からの当該アイドルパターン未検出信号に従い、他の通信端末装置に宛てたリンク切替え信号を当該第１及び第２のリング伝送路に出力するリンク切替え信号出力装置（５２，３８ａ，３８ｂ）と、
当該第１及び第２のリング伝送路から受信する当該リンク切替え信号に応じて、孤立した通信端末装置を判別する孤立端末判別装置（６０）と、
当該孤立した通信端末装置への送信信号を破棄する信号破棄装置（５６）
とを具備することを特徴とするデータ伝送システム。
【請求項２】
互いに逆方向に信号を伝送する第１及び第２のリング伝送路（１０，１２）と、当該第１及び第２のリング伝送路（１０，１２）上に配置される複数の通信端末装置（１４，１６−１〜１６−６）とを具備するデータ伝送システムであって、
各通信端末装置が、
無データ期間にアイドルパターンをそれぞれ第１及び第２のリング伝送路に出力するアイドルパターン出力装置（４２ａ，４２ｂ，４４ａ，４４ｂ，４８）と、
第１及び第２のリング伝送路からの無データ期間のアイドルパターンの有無を判別し、当該アイドルパターンの未検出の場合にアイドルパターン未検出信号を出力するアイドルパターン判別装置（５０）と、
当該アイドルパターン判別装置（５０）からの当該アイドルパターン未検出信号に従い、他の通信端末装置に宛てたリンク切替え信号を当該第１及び第２のリング伝送路に出力するリンク切替え信号出力装置（５２，３８ａ，３８ｂ）と、
当該第１の伝送路（１０）の上流側から入力する信号の内の自己宛ての信号を分離し、当該第１の伝送路（１０）の上流側から入力する信号の内の他宛ての信号に第１の送信信号を多重して当該第１のリング伝送路（１０）の下流側に出力する第１の転送系と、
当該第２の伝送路（１２）の上流側から入力する信号の内の自己宛ての信号を分離し、当該第２の伝送路（１２）の上流側から入力する信号の内の他宛ての信号に第２の送信信号を多重して当該第２のリング伝送路（１２）の下流側に出力する第２の転送系
とを具備することを特徴とするデータ伝送システム。
【請求項３】
当該アイドルパターン出力装置が、
当該アイドルパターンを発生するアイドルパターン生成装置（４８）と、
当該第１のリング伝送路に出力すべきデータの有無を検出する第１の無データ検出装置（４２ａ）と、
当該第１の無データ検出装置（４２ａ）の検出結果に従い、無データ期間に当該アイドルパターン生成装置（４８）の出力アイドルパターンを当該第１のリング伝送路（１０）に出力する第１のセレクタ（４４ａ）と、
当該第２のリング伝送路に出力すべきデータの有無を検出する第２の無データ検出装置（４２ｂ）と、
当該第２の無データ検出装置（４２ｂ）の検出結果に従い、無データ期間に当該アイドルパターン生成装置（４８）の出力アイドルパターンを当該第２のリング伝送路（１２）に出力する第２のセレクタ（４４ａ）
とを具備することを特徴とする請求項１又は２に記載のデータ伝送システム。
【請求項４】
当該リンク切替え信号出力装置は、
当該アイドルパターン判別装置（５０）からの当該アイドルパターン未検出信号に従い、リンク切替え信号を生成するリンク切替え信号生成装置（５２）と、
当該リンク切替え信号を、当該第１のリング伝送路（１０）に出力されるべき信号に多重する第１の多重装置（３８ａ）と、
当該リンク切替え信号を、当該第２のリング伝送路（１２）に出力されるべき信号に多重する第２の多重装置（３８ｂ）
とを具備することを特徴とする請求項１乃至３の何れか１項に記載のデータ伝送システム。
【請求項５】
当該各通信端末装置は更に、当該第１及び第２のリング伝送路の何れかから受信する当該リンク切替え信号に応じて、送信信号の出力先を切り替える装置（６６，６８）を具備することを特徴とする請求項１乃至４の何れか１項に記載のデータ伝送システム。
【請求項６】
当該各通信端末装置は更に、当該第１及び第２のリング伝送路から受信する当該リンク切替え信号に応じて、孤立した通信端末装置を判別する孤立端末判別装置（６０）と、当該孤立した通信端末装置への送信信号を破棄する信号破棄装置（５６）を具備することを特徴とする請求項２乃至５の何れか１項に記載のデータ伝送システム。
【請求項７】
互いに逆方向に信号を伝送する第１及び第２のリング伝送路（１０，１２）上に配置される通信端末装置であって、
当該第１の伝送路（１０）の上流側から入力する信号の内の自己宛ての信号を分離し、当該第１の伝送路（１０）の上流側から入力する信号の内の他宛ての信号に第１の送信信号を多重して当該第１のリング伝送路（１０）の下流側に出力する第１の転送系（３０ａ，３２ａ，３４ａ，３６ａ，３８ａ，４０ａ，４６ａ）と、
当該第２の伝送路（１２）の上流側から入力する信号の内の自己宛ての信号を分離し、当該第２の伝送路（１２）の上流側から入力する信号の内の他宛ての信号に第２の送信信号を多重して当該第２のリング伝送路（１２）の下流側に出力する第２の転送系（３０ｂ，３２ｂ，３４ｂ，３６ｂ，３８ｂ，４０ｂ，４６ｂ）と、
無データ期間にアイドルパターンをそれぞれ第１及び第２のリング伝送路に出力するアイドルパターン出力装置（４２ａ，４２ｂ，４４ａ，４４ｂ，４４）と、
第１及び第２のリング伝送路からの無データ期間のアイドルパターンの有無を判別し、当該アイドルパターンの未検出の場合にアイドルパターン未検出信号を出力するアイドルパターン判別装置（５０）と、
当該アイドルパターン判別装置（５０）からの当該アイドルパターン未検出信号に従い、リンク切替え信号を当該第１及び第２のリング伝送路に出力するリンク切替え信号出力装置（５２，３８ａ，３８ｂ）と、
当該第１及び第２のリング伝送路から受信する当該リンク切替え信号に応じて、孤立した通信端末装置を判別する孤立端末判別装置（６０）と、
当該孤立した通信端末装置への送信信号を破棄する信号破棄装置（５６）
とを具備することを特徴とする通信端末装置。
【請求項８】
当該アイドルパターン出力装置が、
当該アイドルパターンを発生するアイドルパターン生成装置（４８）と、
当該第１のリング伝送路に出力すべきデータの有無を検出する第１の無データ検出装置（４２ａ）と、
当該第１の無データ検出装置（４２ａ）の検出結果に従い、無データ期間に当該アイドルパターン生成装置（４８）の出力アイドルパターンを当該第１のリング伝送路（１０）に出力する第１のセレクタ（４４ａ）と、
当該第２のリング伝送路に出力すべきデータの有無を検出する第２の無データ検出装置（４２ｂ）と、
当該第２の無データ検出装置（４２ｂ）の検出結果に従い、無データ期間に当該アイドルパターン生成装置（４８）の出力アイドルパターンを当該第２のリング伝送路（１２）に出力する第２のセレクタ（４４ａ）
とを具備することを特徴とする請求項７に記載の通信端末装置。
【請求項９】
当該リンク切替え信号出力装置は、
当該アイドルパターン判別装置（５０）からの当該アイドルパターン未検出信号に従い、リンク切替え信号を生成するリンク切替え信号生成装置（５２）と、
当該リンク切替え信号を、当該第１のリング伝送路（１０）に出力されるべき信号に多重する第１の多重装置（３８ａ）と、
当該リンク切替え信号を、当該第２のリング伝送路（１２）に出力されるべき信号に多重する第２の多重装置（３８ｂ）
とを具備することを特徴とする請求項７又は８に記載の通信端末装置。
【請求項１０】
更に、当該第１及び第２のリング伝送路の何れかから受信する当該リンク切替え信号に応じて、送信信号の出力先を切り替える装置（６６，６８）を具備することを特徴とする請求項７乃至９の何れか１項に記載の通信端末装置。
【発明の詳細な説明】
【技術分野】
【０００１】
本発明は、データ伝送システム及び通信端末装置に関する。
【背景技術】
【０００２】
互いに逆方向に光信号を伝送する２つのリング光伝送路を有するリング型光伝送システムが注目されている。このようなリング型光伝送路のプロテクション方式として、ＲＰＲ（Resilient Packet Ring）が知られている（特許文献１，２）。
【０００３】
また、送信信号を分割伝送することで、通信の秘匿性を高める方法が、特許文献３，４に記載されている。
【特許文献１】特開２００４−２４２１９４号公報
【特許文献２】特開２００４−０２３４８０号公報
【特許文献３】特開２０００−１１５１６２号公報
【特許文献４】特開平１０−７０５３１号公報
【発明の開示】
【発明が解決しようとする課題】
【０００４】
通信内容を秘匿しつつ、帯域利用効率が高い通信方式が望まれている。また、冗長構成で短時間に切替えが可能なプロテクション方式も望まれている。
【０００５】
本発明は、このような要求を満たすデータ伝送システム及び通信端末装置を提示することを目的とする。
【課題を解決するための手段】
【０００６】
本発明に係るデータ伝送システムは、互いに逆方向に信号を伝送する第１及び第２のリング伝送路と、当該第１及び第２のリング伝送路上に配置される複数の通信端末装置とを具備するデータ伝送システムであって、各通信端末装置が、無データ期間にアイドルパターンをそれぞれ第１及び第２のリング伝送路に出力するアイドルパターン出力装置と、第１及び第２のリング伝送路からの無データ期間のアイドルパターンの有無を判別し、当該アイドルパターンの未検出の場合にアイドルパターン未検出信号を出力するアイドルパターン判別装置と、当該アイドルパターン判別装置からの当該アイドルパターン未検出信号に従い、他の通信端末装置に宛てたリンク切替え信号を当該第１及び第２のリング伝送路に出力するリンク切替え信号出力装置と、当該第１及び第２のリング伝送路から受信する当該リンク切替え信号に応じて、孤立した通信端末装置を判別する孤立端末判別装置と、当該孤立した通信端末装置への送信信号を破棄する信号破棄装置とを具備することを特徴とする。
本発明に係るデータ伝送システムは、互いに逆方向に信号を伝送する第１及び第２のリング伝送路と、当該第１及び第２のリング伝送路上に配置される複数の通信端末装置とを具備するデータ伝送システムであって、各通信端末装置が、無データ期間にアイドルパターンをそれぞれ第１及び第２のリング伝送路に出力するアイドルパターン出力装置と、第１及び第２のリング伝送路からの無データ期間のアイドルパターンの有無を判別し、当該アイドルパターンの未検出の場合にアイドルパターン未検出信号を出力するアイドルパターン判別装置と、当該アイドルパターン判別装置からの当該アイドルパターン未検出信号に従い、他の通信端末装置に宛てたリンク切替え信号を当該第１及び第２のリング伝送路に出力するリンク切替え信号出力装置と、当該第１の伝送路の上流側から入力する信号の内の自己宛ての信号を分離し、当該第１の伝送路の上流側から入力する信号の内の他宛ての信号に第１の送信信号を多重して当該第１のリング伝送路の下流側に出力する第１の転送系と、当該第２の伝送路の上流側から入力する信号の内の自己宛ての信号を分離し、当該第２の伝送路の上流側から入力する信号の内の他宛ての信号に第２の送信信号を多重して当該第２のリング伝送路の下流側に出力する第２の転送系とを具備することを特徴とする。
【０００７】
本発明に係る通信端末装置は、互いに逆方向に信号を伝送する第１及び第２のリング伝送路上に配置される通信端末装置であって、当該第１の伝送路の上流側から入力する信号の内の自己宛ての信号を分離し、当該第１の伝送路の上流側から入力する信号の内の他宛ての信号に第１の送信信号を多重して当該第１のリング伝送路の下流側に出力する第１の転送系と、当該第２の伝送路の上流側から入力する信号の内の自己宛ての信号を分離し、当該第２の伝送路の上流側から入力する信号の内の他宛ての信号に第２の送信信号を多重して当該第２のリング伝送路の下流側に出力する第２の転送系と、無データ期間にアイドルパターンをそれぞれ第１及び第２のリング伝送路に出力するアイドルパターン出力装置と、第１及び第２のリング伝送路からの無データ期間のアイドルパターンの有無を判別し、当該アイドルパターンの未検出の場合にアイドルパターン未検出信号を出力するアイドルパターン判別装置と、当該アイドルパターン判別装置からの当該アイドルパターン未検出信号に従い、リンク切替え信号を当該第１及び第２のリング伝送路に出力するリンク切替え信号出力装置と、当該第１及び第２のリング伝送路から受信する当該リンク切替え信号に応じて、孤立した通信端末装置を判別する孤立端末判別装置と、当該孤立した通信端末装置への送信信号を破棄する信号破棄装置とを具備することを特徴とする。
【発明の効果】
【０００８】
本発明によれば、リンク切替え信号により、従来よりも迅速に経路を切り替えることができる。
【発明を実施するための最良の形態】
【０００９】
以下、図面を参照して、本発明の実施例を詳細に説明する。
【００１０】
図２は、本発明の一実施例であるリング型光伝送システムの概略構成図を示す。時計回りに信号光を伝送するリング光伝送路１０と、反時計回りに信号光を伝送するリング光伝送路１２があり、これらリング光伝送路１０，１２上に、センター局に配置され全体を統括する光終端装置（ＯＬＴ：Optical Line Terminal）１４と、スター型ネットワークのＰＯＮシステムでセンター局に配置されるＯＬＴと同様に、各ユーザ宅に配置される光終端装置（ＯＮＵ：Optical network Unit）１６（１６−１〜１６−６）が配置される。ＯＬＴ１４にはコンピュータ１８が接続し、各ＯＮＵ１６（１６−１〜１６−６）にも、コンピュータ２０（２０−１〜２０−６）が接続する。コンピュータ１８，２０の代わりに、ルータ等の、構内通信網ＬＡＮ（Local Area Network）の通信機器が接続することもある。
【００１１】
ＯＬＴ１４は、リング光伝送路１０，１２に接続する全ＯＮＵ１６−１〜１６−６を管理する。具体的には、ＯＬＴ１４は、ＯＮＵ１６−１〜１６−ｎの送信の可否、そのタイミングと帯域を管理し、各ＯＮＵ１６−１〜１６−６で利用可能な通信・放送サービスを管理する。この管理機能を除いて、ＯＬＴ１４とＯＮＵ１６は同じデータ送受信機能を持つ。
【００１２】
図１は、ＯＮＵ１６−２の概略構成ブロック図を示す。他のＯＮＵ１６−１，１６−３〜１６−６の内部構成は、ＯＮＵ１６−２のそれと同じである。ＯＬＴ１４も、データ送受信に関してＯＮＵ１６−２と同様の構成を具備する。ここでは、リング伝送路１０，１２上のＯＬＴ１４及びＯＮＵ１６−１〜１６−６を特定するために、それぞれにユニークな番号、即ち端末ＩＤが付けられているとする。統一的な理解のため、ＯＬＴ１４をＯＮＵ１６−０とも表記する。ＯＬＴ１４の番号を０とし、ＯＮＵ１６−１〜１６−６の番号をそれぞれ１〜６とする。
【００１３】
光／電気変換器３０ａには、リング伝送路１０の一部を構成する光伝送路１０−２を介して隣接するＯＮＵ１６−３から信号光が入力する。光／電気変換器３０ａは、入力する光信号を電気データ信号に変換する。バッファ３２ａは、光／電気変換器３０ａから出力されるデータを一時記憶する。宛先判別装置３４ａは、バッファ３２ａに一時記憶されるデータの宛先を判別し、バッファ３２ａの出力データの内の自己宛てのデータに対してセレクタ３６ａを受信系のバッファ７０ａに切り替え、他宛てのデータに対してセレクタ３６ａを転送系の多重装置３８ａに切り替える。他宛てのデータは、ＯＮＵ１６−３で生成又は転送されるリンク切替え信号を含む。リンク切替え信号の詳細は、後述する。
【００１４】
多重装置３８ａは、セレクタ３６ａからのデータ、即ち他宛てのデータに、送信フレーム生成装置６８からのデータ、及び、リンク切替え信号生成装置５２からのリンク切替え信号を時間軸上で多重する。
【００１５】
多重装置３８ａの出力は、バッファ４０ａでレート調節のために一時記憶され、バッファ４０ａの出力は、無データ検出装置４２ａ及びセレクタ４４ａに供給される。無データ検出装置４２ａは、バッファ４０ａの出力に有効なデータがあるか否かを検出する。セレクタ４４ａは、通常は、バッファ４０ａの出力データを電気／光変換器４６ａに供給している。無データの場合、無データ検出装置４２ａは、アイドルパターン生成装置４８の出力するアイドルパターンをセレクタ４４ａに選択させる。即ち、本実施例では、他宛ての有効なデータが存在する場合には、電気／光変換器４６ａには、その有効なデータが印加され、他宛ての有効なデータ存在しない期間では、アイドルパターン生成装置４８の生成するアイドルパターンが、電気／光変換器４６ａに印加される。
【００１６】
電気／光変換器４６ａは、セレクタ４４ａからの電気信号を光信号に変換する。電気／光変換器４６ａの出力する光信号は、リング伝送路１０の一部を構成する光伝送路１０−１を伝搬して、隣接するＯＮＵ１６−１に入力する。
【００１７】
リング伝送路１２を伝送する信号の処理系も同様である。光／電気変換器３０ｂには、リング伝送路１２の一部を構成する光伝送路１２−１を介して隣接するＯＮＵ１６−１から信号光が入力する。光／電気変換器３０ｂは、入力する光信号を電気データ信号に変換する。バッファ３２ｂは、光／電気変換器３０ｂから出力されるデータを一時記憶する。宛先判別装置３４ｂは、バッファ３２ｂに一時記憶されるデータの宛先を判別し、バッファ３２ｂの出力データの内の自己宛てのデータに対してセレクタ３６ｂを受信系のバッファ７０ｂに切り替え、他宛てのデータに対してセレクタ３６ｂを転送系の多重装置３８ｂに切り替える。他宛てのデータは、ＯＮＵ１６−１で生成又は転送されるリンク切替え信号を含む。
【００１８】
多重装置３８ｂは、セレクタ３６ｂからのデータ、即ち他宛てのデータに、送信フレーム生成装置６８からのデータ、及び、リンク切替え信号生成装置５２からのリンク切替え信号を時間軸上で多重する。
【００１９】
多重装置３８ｂの出力は、バッファ４０ｂでレート調節のために一時記憶され、バッファ４０ｂの出力は、無データ検出装置４２ｂ及びセレクタ４４ｂに供給される。無データ検出装置４２ａは、バッファ４０ｂの出力に有効なデータがあるか否かを検出する。セレクタ４４ｂは、通常は、バッファ４０ｂの出力データを電気／光変換器４６ｂに供給している。無データの場合、無データ検出装置４２ｂは、アイドルパターン生成装置４８の出力するアイドルパターンをセレクタ４４ｂに選択させる。即ち、本実施例では、他宛ての有効なデータが存在する場合には、電気／光変換器４６ｂには、その有効なデータが印加され、他宛ての有効なデータ存在しない期間では、アイドルパターン生成装置４８の生成するアイドルパターンが、電気／光変換器４６ｂに印加される。
【００２０】
電気／光変換器４６ｂは、セレクタ４４ｂからの電気信号を光信号に変換する。電気／光変換器４６ｂの出力する光信号は、リング伝送路１２の一部を構成する光伝送路１２−２を伝搬して、隣接するＯＮＵ１６−３に入力する。
【００２１】
アイドルパターン生成装置４８は、先に説明した通り、下流の装置に転送すべきデータが無い無データ期間に、下流に転送するアイドルパターンを発生する。アイドルパターンは、無データ期間を１００％カバーしなくてもよい。アイドルパターンが一定長の一定規則で変化するパターンでなければならない場合には、無データ検出装置４２ａのセレクタ４４ａに対する切替え制御信号に同期して、アイドルパターンを発生する、リング伝送路１０用のアイドルパターン生成装置と、無データ検出装置４２ｂのセレクタ４４ｂに対する切替え制御信号に同期して、アイドルパターンを発生するリング伝送路１２用のアイドルパターン生成装置を設ければよい。
【００２２】
アイドルパターン判別装置５０は、光／電気変換器３０ａ，３０ｂの出力電気信号の無データ期間にアイドルパターンが含まれているかどうかを判別する。何れか一方でも、無データ期間にアイドルパターンが含まれていない間、アイドルパターン判別装置５０は、リンク切替え信号生成装置５２、孤立端末判別装置６０及び制御装置６６に、アイドルパターン未検出信号又はアイドルパターン未検出フラグを出力し続ける。アイドルパターン未検出信号は、上流装置と自装置との間の光伝送路の障害、上流装置の電気／光変換器の故障、又は自装置の光／電気変換器の故障を示す。但し、電気／光変換器及び光／電気変換器の故障は、別途、電気的なモニタ装置により検知できるので、本実施例では、アイドルパターン未検出信号は、上流装置と自装置との間の光伝送路の障害を検知するのに使用される。
【００２３】
リンク切替え信号生成装置５２は、アイドルパターン判別装置５０からのアイドルパターン未検出信号に応じて、リンク切替え信号を生成する。リンク切替え信号は、発生元の装置（ここでは、ＯＮＵ１６−２９）を示す情報を含む。宛先は、自分を除き、リング伝送路１０，１２上の全通信機器（ここでは、ＯＬＴ１４，ＯＮＵ１０−１，１０−３〜１０−６）である。従って、宛先を個別に指定する必要はなくい。ブロードキャストを指定してもよい。リンク切替え信号は、発生元の端末の上流側でリンクがダウンしていることを示す。
【００２４】
リンク切替え信号生成装置５２で生成されたリンク切替え信号は、多重装置３８ａによりリング伝送路１０上に送出され、多重装置３８ｂによりリング伝送路１２上に送出される。勿論、多重装置３８ａ，３８ｂは、他の信号に重ならないように、リング切替え信号を時間軸上で他の信号に多重する。
【００２５】
リンク切替え信号判別装置５４は、光／電気変換器３０ａ，３０ｂの出力電気信号からリンク切替え信号を分離し、リンク切替え信号の発生元を判別する。リンク切替え信号判別装置５４は、リンク切替え信号を発生するＯＬＴ１４又はＯＮＵ１６を特定する情報、例えば端末ＩＤを孤立端末判別装置６０及び制御装置６６に供給する。
【００２６】
ＰＣ２０−２からの送信データは、セレクタ５６と宛先判別装置５８に入力する。送信データは、例えば、イーサネット（登録商標）フレームからなり、宛先アドレスと送信元アドレスの情報を含む。宛先判別装置５８は、送信データから宛先を判別し、対応する端末ＩＤを孤立端末判別装置６０及び宛先情報テーブル６２に供給する。
【００２７】
セレクタ５６は、通常、ＰＣ２０−２からの送信データを暗号化装置６４に供給する。宛先情報テーブル６２は、宛先毎の、適用する暗号化方式を指定する情報が格納されている。宛先情報テーブル６２は、送信データの宛先に応じた暗号化方式を示す情報を暗号化装置６４に供給する。本実施例では、最もセキュリティの高いデータ伝送方法として、送信データを２つのフレーム（分割フレーム）に分割し、異なる伝送路で伝送し、受信側で合成するという分割伝送を使用する。この分割伝送に暗号化を併用することで、高いデータ秘匿性を示現する。互いに対になる分割フレームを特定するために、同じシリアル番号を付加する。宛先情報テーブル６２は、そのシリアル番号を送信フレーム生成装置６８に供給する。
【００２８】
暗号化装置６４は、セレクタ５６から入力する送信データを、宛先情報テーブル６２からの暗号化方式情報で特定される暗号化方式で暗号化し、暗号化された送信データを含むデータフレームを送信フレーム生成装置６８に供給する。
【００２９】
送信フレーム生成装置６８は、単一伝送路での伝送（単一伝送）か、２つの伝送路を使用する伝送（分割伝送）かを選択できる。単一伝送か分割伝送かに応じて、付加するシリアル番号の系列を異なるものとすることで、受信側は、単一伝送か分割伝送かを識別できる。
【００３０】
送信フレーム生成装置６８は、分割伝送の場合、暗号化装置６４からの暗号化フレームを２分割し、各分割フレームに同じシリアル番号を付加し、一方の分割フレームを多重装置３８ａに、他方の分割フレームを多重装置３８ｂに供給する。これにより、一方の分割フレームは、リング伝送路１０を伝送して宛先装置に到達し、他方の分割フレームは、リング伝送路１２を伝送して宛先装置に到達する。単一伝送の場合、送信フレーム生成装置６８は、制御装置６６から指定された伝送路側にデータを出力する。
【００３１】
制御装置６６は、暗号化装置６４の暗号化の強度又は有無を制御し、送信フレーム生成装置６８によるフレーム分割の要否を制御する。本実施例では、暗号化装置６４による暗号化の有無と強度と分割伝送の有無により、複数段階のデータ秘匿性を選択できる。
【００３２】
自分宛のデータは、以下のようにして受信され、コンピュータ２０−２に送信される。即ち、バッファ３２ａに格納されるデータの内、ＯＮＵ１４−２宛てのデータに対して、宛先判別装置３４ａは、セレクタ３６ａをバッファ７０ａ側に切り替える。これにより、バッファ３２ａから出力されるＯＮＵ１４−２宛てのデータは、セレクタ３６ａを介してバッファ７０ａに供給される。同様に、バッファ３２ｂに格納されるデータの内、ＯＮＵ１４−２宛てのデータに対して、宛先判別装置３４ｂは、セレクタ３６ｂをバッファ７０ｂ側に切り替える。これにより、バッファ３２ｂから出力されるＯＮＵ１４−２宛てのデータは、セレクタ３６ｂを介してバッファ７０ｂに供給される。
【００３３】
合成装置７２は、バッファ７０ａ，７０ｂに格納されるデータにフレーム単位で付加されたシリアル番号を対比し、同じシリアル番号のフレームを合成する。単一の伝送路で伝送されている場合、合成装置７２は、バッファ７０ａ，７０ｂからのデータをそのまま解読装置７４に出力する。解読装置７４は、合成装置７２からのデータを、それが暗号化されている場合に解読し、暗号化されていなければ、そのまま出力する。解読装置７４の出力データは、受信データとしてコンピュータ２０−２に供給される。制御装置６６は、解読装置７４による解読の要否を制御し、必要な解読鍵を解読装置７４に供給する。
【００３４】
図２に示すようなリング伝送システムでは、リング伝送路１０，１２の障害、又はリング伝送路１０，１２上のＯＬＴ１４，１６−１〜１６−６の転送機能の障害により、ＯＬＴ１４，１６−１〜１６−６の何れかが孤立することがある。孤立端末判別装置６０は、アイドルパターン判別装置５０からのアイドルパターン未検出信号と、リンク切替え信号判別装置５４からの端末ＩＤとから孤立した端末、即ち、リング伝送路１０，１２のどちらを使ってもデータが到達できない孤立した端末を判別できる。孤立端末判別装置６０には、更に、宛先判別装置５８から送信データの宛先を示す端末得ＩＤが供給されている。孤立端末判別装置６０は、送信データの宛先が孤立端末である場合に、セレクタ５６を暗号化装置６４からデータ破棄端子に切り替える。これにより、孤立端末への送信データが、リング伝送路１０，１２上に送出されることなしに、破棄される。これにより、リング伝送路１０，１２上の無駄なトラフィックを削減できる。
【００３５】
具体的な事例に即して、本実施例のデータ伝送手順を説明する。例えば、ＯＬＴ１４が、ＯＮＵ１６−１〜６に向けてデータを分割伝送により秘匿送信している状況で、ＯＮＵ１６−２，１６−３間の伝送路１０−３，１２−３で障害が発生し、時間をおいて、ＯＮＵ１６−３とＯＮＵ１６−４の間の伝送路１０−４，１２−４でも障害が発生したとする。図３は、その時間変化を示す。上から下に時間が経過する。
【００３６】
リング伝送路１０，１２が共に正常な状態では、ＯＬＴ１４及び各ＯＮＵ１６−１〜１６−６は、無データ期間では、隣接する装置に向けて、アイドルパターンを送信している（Ｓ１）。これにより、ＯＬＴ１４及び各ＯＮＵ１６−１〜１６−６は、隣接する装置との間でのデータ伝送に支障が無いことを確認できる。この状態で、ＯＬＴ１４は、どのＯＮＵ１６−１〜１６−６に対しても、分割伝送と暗号化による秘匿通信（Ｄ１ａ，Ｄ１ｂ）が可能である。
【００３７】
ＯＮＵ１６−２とＯＮＵ１６−３との間の伝送路１０−３，１２−３で障害が発生したとする。これにより、ＯＮＵ１６−２はＯＮＵ１６−３からのデータもアイドルパターンも受信できず、ＯＮＵ１６−３はＯＮＵ１６−２からのデータもアイドルパターンも受信できない。この結果、ＯＮＵ１６−２は、リンク切替え信号Ｓ２ａをリング伝送路１０の下流側に、リンク切替え信号Ｓ２ｂをリング伝送路１２の下流側に出力する。同様に、ＯＮＵ１６−３は、リンク切替え信号Ｓ３ａをリング伝送路１０の下流側に、リンク切替え信号Ｓ３ｂをリング伝送路１２の下流側に出力する。
【００３８】
ＯＮＵ１６−２とＯＮＵ１６−３の間の伝送路１０−３，１２−３で障害が発生しているので、リンク切替え信号Ｓ２ｂは、ＯＮＵ１６−３に到達できず、リンク切替え信号Ｓ３ａはＯＮＵ１６−２に到達できない。
【００３９】
他方、リンク切替え信号Ｓ２ａは、ＯＮＵ１６−１，ＯＬＴ１４，ＯＮＵ１６−６，ＯＮＵ１６−５，ＯＮＵ１６−４，ＯＮＵ１６−３で順次受信される。ＯＮＵ１６−３は、リンク切替え信号Ｓ２ａを伝送路１０−３に出力するが、このリンク切替え信号Ｓ２ａは、伝送路１０−３の障害により、ＯＮＵ１６−２に到達できない。
【００４０】
リンク切替え信号Ｓ３ｂは、ＯＮＵ１６−４，ＯＮＵ１６−５，ＯＮＵ１６−６，ＯＬＴ１４，ＯＮＵ１６−１，ＯＮＵ１６−２で順次受信される。ＯＮＵ１６−２は、リンク切替え信号Ｓ３ｂを伝送路１２−３に出力するが、このリンク切替え信号Ｓ３ｂは、伝送路１２−３の障害により、ＯＮＵ１６−３に到達できない。
【００４１】
リンク切替え信号Ｓ２ａは、この信号の発生ソースとしてＯＮＵ１６−２を指定する信号を含み、リンク切替え信号Ｓ３ｂは、この信号の発生ソースとしてＯＮＵ１６−３を指定する信号を含む。データ送信元になっているＯＬＴ１４は、リンク切替え信号Ｓ２ａ，Ｓ３ｂにより、ＯＮＵ１６−２とＯＮＵ１６−３の間の伝送路１０−３，１２−３で障害が発生したことを知ることができる。これは、ＯＮＵ１６−１〜１６−６に対する分割伝送が不可能になったことを意味する。そこで、ＯＬＴ１４は、ＯＮＵ１６−３〜１６−６の何れかに対するデータＤ
２ａをリング伝送路１０に送出し、ＯＮＵ１６−１，１６−２の何れかに対するデータＤ２ｂをリング伝送路１２に送出する。
【００４２】
ここで更に、ＯＮＵ１６−３とＯＮＵ１６−４の間の伝送路１０−４，１２−４で障害が発生したとする。これにより、ＯＮＵ１６−４は、ＯＮＵ１６−３からのデータもアイドルパターンも受信できず、ＯＮＵ１６−３はＯＮＵ１６−４からのデータもアイドルパターンも受信できなくなる。ＯＮＵ１６−４は、リンク切替え信号Ｓ４ａを伝送路１０−４に出力し、リンク切替え信号Ｓ４ｂをリング伝送路１２の下流側に出力する。
【００４３】
ＯＮＵ１６−３とＯＮＵ１６−４の間の伝送路１０−４，１２−４で障害が発生しているので、リンク切替え信号Ｓ４ａは、ＯＮＵ１６−３に到達できない。
【００４４】
他方、リンク切替え信号Ｓ４ｂは、ＯＮＵ１６−５，ＯＮＵ１６−６，ＯＬＴ１４，ＯＮＵ１６−１，ＯＮＵ１６−２で順次受信される。ＯＮＵ１６−２は、リンク切替え信号Ｓ４ｂを伝送路１２−３に出力するが、このリンク切替え信号Ｓ４ｂは、伝送路１２−３の障害により、ＯＮＵ１６−３に到達できない。
【００４５】
リンク切替え信号Ｓ４ｂは、この信号の発生ソースとしてＯＮＵ１６−４を指定する信号を含む。データ送信元になっているＯＬＴ１４は、リング伝送路１２から新たに受信したリンク切替え信号Ｓ４ｂにより、ＯＮＵ１６−３とＯＮＵ１６−４の間の伝送路１０−４，１２−４で新たに障害が発生したことを知ることができる。ＯＬＴ１４は、先のリンク切替え信号Ｓ２ａ，Ｓ３ｂにより、ＯＮＵ１６−２とＯＮＵ１６−３の間の伝送路１０−３，１２−３で障害が発生していることが分かっているので、これらの結果として、ＯＮＵ１６−３が孤立していることが分かる。そこで、ＯＬＴ１４は、ＯＮＵ１６−４〜１６−６の何れかに対するデータＤ３ａをリング伝送路１０に送出し、ＯＮＵ１６−１，１６−２に対するデータＤ３ｂをリング伝送路１２に送出し、孤立したＯＮＵ１６−３に対するデータをセレクタ５６により破棄する。
【００４６】
ＯＬＴ１４がデータ送信元になっている場合を説明したが、ＯＮＵ１６−１，２，４，５，６がデータ送信元になっている場合も、使用するリング伝送路１０，１２の切替え動作は、ＯＬＴ１４の場合と同じである。
【００４７】
ＯＮＵ１６−３がデータをＯＬＴ１４又はＯＮＵ１６−１，１６−２，１６−４〜６に送信している場合、上述の障害に対応して、以下のように動作する。即ち、伝送路１０−３，１２−３で障害が発生すると、ＯＮＵ１６−３は、ＯＮＵ１６−２からデータもアイドルパターンも受信しなくなる。これに応じて、ＯＮＵ１６−３は、上述のように、リンク切替え信号Ｓ３ａ，Ｓ３ｂを発生し、ＯＬＴ１４又はＯＮＵ１６−１，１６−２，１６−４〜６に送信すべきデータの経路としてリング伝送路１２を指定する。秘匿通信の場合には、暗号化方式をより解読が困難な方式に切り替えると共に、新しい暗号化方式を受信装置に通知する。
【００４８】
更に、伝送路１０−４，１２−４でも障害が発生すると、ＯＮＵ１６−３は、ＯＮＵ１６−４からもデータもアイドルパターンも受信しなくなる。これにより、ＯＮＵ１６−３は、孤立したことを知り、データ送信を停止し、コンピュータ２０−３にその旨を通知する。
【００４９】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００５０】
【図１】本発明の一実施例における光終端装置（ＯＮＵ）の概略構成ブロック図である。
【図２】本発明の一実施例のネットワーク構成の一例である。
【図３】本実施例における障害発生時の動作シーケンス例である。
【符号の説明】
【００５１】
１０，１２：リング光伝送路
１０−３，１０−４：伝送路
１２−３，１２−４：伝送路
１４：光終端装置（ＯＬＴ）
１６（１６−１〜１６−６）：光終端装置（ＯＮＵ）
１８，２０（２０−１〜２０−６）：コンピュータ
３０ａ，３０ｂ：光／電気変換器
３２ａ，３２ｂ：バッファ
３４ａ，３４ｂ：宛先判別装置
３６ａ，３６ｂ：セレクタ
３８ａ，３８ｂ：多重装置
４０ａ，４０ｂ：バッファ
４２ａ，４２ｂ：無データ検出装置
４４ａ，４４ｂ：セレクタ
４６ａ，４６ｂ：電気／光変換器
４８：アイドルパターン生成装置
５０：アイドルパターン判別装置
５２：リンク切替え信号生成装置
５４：リンク切替え信号判別装置
５６：セレクタ
５８：宛先判別装置
６０：孤立端末判別装置
６２：宛先情報テーブル
６４：暗号化装置
６６：制御装置
６８：送信フレーム生成装置
７０ａ，７０ｂ：バッファ
７２：合成装置
７４：解読装置
【図１】
0004661471.tif 000002
【図２】
0004661471.tif 000003
【図３】
0004661471.tif 000004